(57)【要約】  本開示は、測定方法、測定配置方法、端末及びネットワーク機器を開示する。その方法において、測定対象配置情報を受信するステップと、条件トリガー方式によるセル管理の場合、目標対象の測定を測定対象配置情報に基づいて開始するステップと、所定トリガーイベントが満たされると、目標対象のうちの少なくとも一部の対象の測定を停止するか否かを決定するステップとを含む。
2021520166.tif 000002
【特許請求の範囲】
【請求項１】
端末側に応用される測定方法であって、
測定対象配置情報を受信するステップと、
条件トリガー方式によるセル管理の場合、前記測定対象配置情報によって指示される対象のうちの少なくとも一部である目標対象の測定を、前記測定対象配置情報に基づいて開始するステップと、
所定トリガーイベントが満たされると、前記目標対象のうちの少なくとも一部の対象の測定を停止するか否かを決定するステップとを含む、測定方法。
【請求項２】
前記測定対象配置情報は、測定不要なセルＩＤ情報、前記目標対象の周波数ポイントＩＤ情報、前記目標対象のセルＩＤ情報、測定対象が条件トリガー方式によるセル管理に用いられるかを指示する第１指示情報、前記目標対象に対応する参照信号配置情報、前記目標対象のレイヤ３フィルタの配置情報、前記目標対象の測定結果タイプ情報、及び、少なくとも１つの前記所定トリガーイベントが満たされてから引き続き測定するかを指示する第２指示情報のうちの少なくとも１つを含む、請求項１に記載の測定方法。
【請求項３】
前記所定トリガーイベントは、予め定義されるか、ネットワーク機器によって配置される、請求項１又は２に記載の測定方法。
【請求項４】
前記所定トリガーイベントは、セル切り替え成功、セル切り替え失敗、目標セカンダリセル群ＳＣＧアクセス成功、目標ＳＣＧアクセス失敗、及び、無線リンク失敗のうちの少なくとも１つを含む、請求項１又は２に記載の測定方法。
【請求項５】
所定トリガーイベントが満たされると、前記目標対象のうちの少なくとも一部の対象の測定を停止するか否かを決定するステップは、
所定トリガーイベントが満たされると、すべての前記目標対象の測定の停止を決定することを含む、請求項４に記載の測定方法。
【請求項６】
前記所定トリガーイベントにセル切り替え成功又は目標ＳＣＧアクセス成功が含まれる場合、所定トリガーイベントが満たされると、前記目標対象のうちの少なくとも一部の対象の測定を停止するか否かを決定するステップは、
セル切り替え成功又は目標ＳＣＧアクセス成功になると、前記目標対象のうち、現在のサービングセル以外の対象の測定の停止を決定することを含む、請求項４に記載の測定方法。
【請求項７】
前記測定対象配置情報に第２指示情報が含まれる場合、所定トリガーイベントが満たされると、前記目標対象のうちの少なくとも一部の対象の測定を停止するか否かを決定するステップは、
所定トリガーイベントが満たされると、前記目標対象のうちの少なくとも一部の対象の測定を停止するか否かを、前記第２指示情報に基づいて決定するステップ、及び、所定トリガーイベントが満たされ、且つ目標対象の配置プロセスが完了した場合、前記目標対象のうちの少なくとも一部の対象の測定を停止するか否かを、前記第２指示情報に基づいて決定するステップのうちの１つを含む、請求項２に記載の測定方法。
【請求項８】
前記目標対象のうちの少なくとも一部の対象の測定を停止するか否かを、前記第２指示情報に基づいて決定するステップは、
前記第２指示情報によって指示される測定継続必要な第１目標対象に基づいて、前記第１目標対象の測定の継続を決定するステップと、前記第２指示情報によって指示される測定継続不要な第２目標対象に基づいて、前記第２目標対象の測定の停止を決定するステップと、前記第２指示情報によって指示される測定継続必要な第１目標対象に基づいて、前記目標対象のうち、前記第１目標対象以外の他の対象の測定の停止を決定するステップのうちの１つを含む、請求項７に記載の測定方法。
【請求項９】
測定対象配置情報を受信するための受信モジュールと、
条件トリガー方式によるセル管理の場合、前記測定対象配置情報によって指示される対象のうちの少なくとも一部である目標対象の測定を、前記測定対象配置情報に基づいて開始するための開始モジュールと、
所定トリガーイベントが満たされると、前記目標対象のうちの少なくとも一部の対象の測定を停止するか否かを決定するための処理モジュールとを含む、端末。
【請求項１０】
前記測定対象配置情報は、測定不要なセルＩＤ情報、前記目標対象の周波数ポイントＩＤ情報、前記目標対象のセルＩＤ情報、測定対象が条件トリガー方式によるセル管理に用いられるかを指示する第１指示情報、前記目標対象に対応する参照信号配置情報、前記目標対象のレイヤ３フィルタの配置情報、前記目標対象の測定結果タイプ情報、及び、少なくとも１つの前記所定トリガーイベントが満たされてから引き続き測定するかを指示する第２指示情報のうちの少なくとも１つを含む、請求項９に記載の端末。
【請求項１１】
前記所定トリガーイベントは、セル切り替え成功、セル切り替え失敗、目標セカンダリセル群ＳＣＧアクセス成功、目標ＳＣＧアクセス失敗、及び、無線リンク失敗のうちの少なくとも１つを含む、請求項９又は１０に記載の端末。
【請求項１２】
前記処理モジュールは、
所定トリガーイベントが満たされると、すべての前記目標対象の測定の停止を決定するための第１決定サブモジュールを含む、請求項１１に記載の端末。
【請求項１３】
前記処理モジュールは、
所定トリガーイベントにセル切り替え成功又は目標ＳＣＧアクセス成功が含まれる場合、セル切り替え成功又は目標ＳＣＧアクセス成功になると、前記目標対象のうち、現在のサービングセル以外の対象の測定の停止を決定するための第２決定サブモジュールを更に含む、請求項１１に記載の端末。
【請求項１４】
前記測定対象配置情報に第２指示情報が含まれる場合、前記処理モジュールは、
所定トリガーイベントが満たされると、前記目標対象のうちの少なくとも一部の対象の測定を停止するか否かを、前記第２指示情報に基づいて決定するための第３決定サブモジュール、及び、所定トリガーイベントが満たされ、且つ目標対象の配置プロセスが完了した場合、前記目標対象のうちの少なくとも一部の対象の測定を停止するか否かを、前記第２指示情報に基づいて決定するための第４決定サブモジュールのうちの１つを更に含む、請求項１０に記載の端末。
【請求項１５】
前記第３決定サブモジュール又は第４決定サブモジュールは、
前記第２指示情報によって指示される測定継続必要な第１目標対象に基づいて、前記第１目標対象の測定の継続を決定するための第１決定ユニットと、前記第２指示情報によって指示される測定継続不要な第２目標対象に基づいて、前記第２目標対象の測定の停止を決定するための第２決定ユニットと、前記第２指示情報によって指示される測定継続必要な第１目標対象に基づいて、前記目標対象のうち、前記第１目標対象以外の他の対象の測定の停止を決定するための第３決定ユニットのうちの１つを含む、請求項１４に記載の端末。
【請求項１６】
プロセッサと、メモリと、前記メモリに格納されて前記プロセッサで動作可能なコンピュータプログラムを含む端末であって、
前記コンピュータプログラムが前記プロセッサによって実行されると、請求項１〜８のいずれか一項に記載の測定方法のステップが実現される、端末。
【請求項１７】
ネットワーク機器側に応用される測定配置方法であって、
条件トリガー方式によるセル管理に関連付けられる目標対象を指示するための測定対象配置情報を送信するステップを含む、測定配置方法。
【請求項１８】
前記測定対象配置情報は、測定不要なセルＩＤ情報、前記目標対象の周波数ポイントＩＤ情報、前記目標対象のセルＩＤ情報、測定対象が条件トリガー方式によるセル管理に用いられるかを指示する第１指示情報、前記目標対象に対応する参照信号配置情報、前記目標対象のレイヤ３フィルタの配置情報、前記目標対象の測定結果タイプ情報、及び、少なくとも１つの所定トリガーイベントが満たされてから引き続き測定するかを指示する第２指示情報のうちの少なくとも１つを含む、請求項１７に記載の測定配置方法。
【請求項１９】
所定トリガーイベントが満たされると、前記目標対象のうちの少なくとも一部の対象の測定を停止するか否かを決定するように端末に指示するための所定トリガーイベント情報を端末に配置するステップを更に含む、請求項１８に記載の測定配置方法。
【請求項２０】
前記所定トリガーイベントは、セル切り替え成功、セル切り替え失敗、目標セカンダリセル群ＳＣＧアクセス成功、目標ＳＣＧアクセス失敗、及び、無線リンク失敗のうちの少なくとも１つを含む、請求項１９に記載の測定配置方法。
【請求項２１】
前記所定トリガーイベント情報は、所定トリガーイベントが満たされると、すべての前記目標対象の測定の停止を決定するように端末に指示することに用いられる、請求項２０に記載の測定配置方法。
【請求項２２】
前記所定トリガーイベントにセル切り替え成功又は目標ＳＣＧアクセス成功が含まれる場合、前記所定トリガーイベント情報は、
セル切り替え成功又は目標ＳＣＧアクセス成功になると、前記目標対象のうち、現在のサービングセル以外の対象の測定の停止を決定するように端末に指示することに用いられる、請求項２０に記載の測定配置方法。
【請求項２３】
前記測定対象配置情報に第２指示情報が含まれる場合、前記所定トリガーイベント情報は、
トリガーイベント情報によって指示されるトリガーイベントが満たされると、前記目標対象のうちの少なくとも一部の対象の測定を停止するか否かを、端末が前記第２指示情報に基づいて決定すること、及び、トリガーイベント情報によって指示されるトリガーイベントが満たされ、且つ目標対象の配置プロセスが完了した場合、前記目標対象のうちの少なくとも一部の対象の測定を停止するか否かを、端末が前記第２指示情報に基づいて決定することのうちの１つを指示することに用いられる、請求項１９に記載の測定配置方法。
【請求項２４】
前記所定トリガーイベント情報は、
前記第２指示情報によって指示される測定継続必要な第１目標対象に基づいて、端末が前記第１目標対象の測定の継続を決定することと、
前記第２指示情報によって指示される測定継続不要な第２目標対象に基づいて、端末が前記第２目標対象の測定の停止を決定することと、
前記第２指示情報によって指示される測定継続必要な第１目標対象に基づいて、端末が前記目標対象のうち前記第１目標対象以外の他の対象の測定の停止を決定することのうちの１つを指示することに用いられる、請求項２３に記載の測定配置方法。
【請求項２５】
条件トリガー方式によるセル管理に関連付けられる目標対象を指示するための測定対象配置情報を送信するための送信モジュールを含む、ネットワーク機器。
【請求項２６】
前記測定対象配置情報は、測定不要なセルＩＤ情報、前記目標対象の周波数ポイントＩＤ情報、前記目標対象のセルＩＤ情報、測定対象が条件トリガー方式によるセル管理に用いられるかを指示する第１指示情報、前記目標対象に対応する参照信号配置情報、前記目標対象のレイヤ３フィルタの配置情報、前記目標対象の測定結果タイプ情報、及び、少なくとも１つの所定トリガーイベントが満たされてから引き続き測定するかを指示する第２指示情報のうちの少なくとも１つを含む、請求項２５に記載のネットワーク機器。
【請求項２７】
所定トリガーイベントが満たされると、前記目標対象のうちの少なくとも一部の対象の測定を停止するか否かを決定するように端末に指示するための所定トリガーイベントを端末に配置するための配置モジュールを更に含む、請求項２６に記載のネットワーク機器。
【請求項２８】
前記所定トリガーイベントは、セル切り替え成功、セル切り替え失敗、目標セカンダリセル群ＳＣＧアクセス成功、目標ＳＣＧアクセス失敗、及び、無線リンク失敗のうちの少なくとも１つを含む、請求項２７に記載のネットワーク機器。
【請求項２９】
プロセッサと、メモリと、前記メモリに格納されて前記プロセッサで動作可能なコンピュータプログラムを含むネットワーク機器であって、
前記プロセッサは、前記コンピュータプログラムを実行すると、請求項１７〜２４のいずれか一項に記載の測定配置方法のステップを実現する、ネットワーク機器。
【請求項３０】
コンピュータプログラムが格納されているコンピュータ読み取り可能な記憶媒体であって、
前記コンピュータプログラムがプロセッサによって実行されると、請求項１〜８のいずれか一項に記載の測定方法のステップが実現され、又は、請求項１７〜２４のいずれか一項に記載の測定配置方法のステップが実現される、コンピュータ読み取り可能な記憶媒体。
【発明の詳細な説明】
【技術分野】
【０００１】
本願は、２０１８年３月１６日に中国特許庁に提出された中国特許出願２０１８１０２１８４６９．０の優先権を主張し、その全ての内容が援用によりここに取り込まれる。
本開示は、通信技術分野に係り、特に測定方法、測定配置方法、端末及びネットワーク機器に係る。
【背景技術】
【０００２】
従来のＬＴＥ（Ｌｏｎｇ  Ｔｅｒｍ  Ｅｖｏｌｕｔｉｏｎ）通信システムにおいて、ネットワーク機器は、無線リソース制御ＲＲＣ（Ｒａｄｉｏ  Ｒｅｓｏｕｒｃｅ  Ｃｏｎｔｒｏｌ）接続再配置メッセージによって端末に対し測定配置を行い、端末ＵＥ（Ｕｓｅｒ  Ｅｑｕｉｐｍｅｎｔ）は、測定配置情報に従って自セル及び隣接セルのチャネルに対し測定評価及び報告を行う。具体的には、ＬＴＥシステムにおいて、配置における測定報告の際に、配置の内容に測定対象配置と測定報告配置とが含まれる。そのうち、ネットワーク機器は、測定ＩＤ（ｍｅａｓＩＤ）により測定報告配置（ｒｅｐｏｒｔＣｏｎｆｉｇＩｄ）と測定対象（ｍｅａｓＯｂｊｅｃｔＩｄ）との関連関係配置情報を作成し、該関連関係配置情報をＵＥに送信する。ＵＥは、該関連関係配置情報があると判断した場合、該関連関係配置情報で指定された測定対象の測定を開始する。
【０００３】
ＮＲ（Ｎｅｗ  Ｒａｄｉｏ）通信システムにおいて、セルの追加、修正、削除、変更など、条件トリガー方式によるセル管理が導入される。条件でセル切り替えをトリガーすることを例にとると、図１に示すように、条件切り替えプロセスは、以下の主なステップを含む。
ステップ１において、ソースノード（Ｓｏｕｒｃｅ）は、１つ又は複数のターゲットノード（Ｔａｒｇｅｔ１及びＴａｒｇｅｔ２）に切り替え要求情報を送信する。
ステップ２において、ターゲットノードは、切り替え確認情報をソースノードに送信する。
ステップ３において、ソースノードは、条件切り替えの配置情報を端末に送信する。
ステップ４において、端末は、ターゲットセルについて条件を満たすか否かを評価し、条件を満たすと決定すると、対応するターゲットセルを選択して切り替えを行う。
ステップ５において、端末は、ターゲットセルを選択した後、ランダムアクセスプロセスを開始する。
ステップ６において、端末は、切り替え完了情報をターゲットノードに送信する。
ステップ７において、ソースノードは、条件切り替え取り消し情報を他のターゲットノードに送信する。
ステップ８において、他のターゲットノードは、条件切り替え取り消し確認情報をソースノードに送信する。
【０００４】
条件トリガー方式によるセル管理の場合、端末は、条件トリガー関連セルの測定をいつ開始又は停止するかを決定することができない。関連セルの測定が速やかでないと、セル管理に失敗するが、関連セルの測定を継続的に行うと、端末の消費電力が増加する。
【発明の概要】
【発明が解決しようとする課題】
【０００５】
本開示の実施例は、条件トリガー関連セルの測定問題を解決するために、測定方法、測定配置方法、端末及びネットワーク機器を提供する。
課題を解決するための手段
【０００６】
第１方面において、本開示の実施例は、端末側に応用される測定方法を提供し、測定対象配置情報を受信するステップと、条件トリガー方式によるセル管理の場合、測定対象配置情報によって指示される対象のうちの少なくとも一部である目標対象の測定を測定対象配置情報に基づいて開始するステップと、所定トリガーイベントが満たされると、目標対象のうちの少なくとも一部の対象の測定を停止するか否かを決定するステップとを含む。
【０００７】
第２方面において、本開示の実施例は、測定対象配置情報を受信するための受信モジュールと、条件トリガー方式によるセル管理の場合、測定対象配置情報によって指示される対象のうちの少なくとも一部である目標対象の測定を測定対象配置情報に基づいて開始するための開始モジュールと、所定トリガーイベントが満たされると、目標対象のうちの少なくとも一部の対象の測定を停止するか否かを決定するための処理モジュールとを含む端末を提供する。
【０００８】
第３方面において、本開示の実施例は、プロセッサと、メモリと、メモリに格納されてプロセッサで動作可能なコンピュータプログラムを含む端末を提供し、コンピュータプログラムがプロセッサによって実行されると、請求項１〜９のいずれか一項に記載の測定方法のステップが実現される。
【０００９】
第４方面において、本開示の実施例は、コンピュータプログラムが格納されているコンピュータ読み取り可能な記憶媒体を提供し、コンピュータプログラムがプロセッサによって実行されると、上記の測定方法のステップが実現される。
【００１０】
第５方面において、本開示の実施例は、ネットワーク機器側に応用される測定配置方法を提供し、条件トリガー方式によるセル管理に関連付けられる目標対象を指示するための測定対象配置情報を送信するステップを含む。
【００１１】
第６方面において、本開示の実施例は、条件トリガー方式によるセル管理に関連付けられる目標対象を指示するための測定対象配置情報を送信するための送信モジュールを含むネットワーク機器を提供する。
【００１２】
第７方面において、本開示の実施例は、プロセッサと、メモリと、メモリに格納されてプロセッサで動作可能なコンピュータプログラムを含むネットワーク機器を提供し、プロセッサは、コンピュータプログラムを実行すると、上記の測定配置方法のステップを実現する。
【００１３】
第８方面において、本開示の実施例は、コンピュータプログラムが格納されているコンピュータ読み取り可能な記憶媒体を提供し、コンピュータプログラムがプロセッサによって実行されると、上記の測定配置方法のステップが実現される。
【発明の効果】
【００１４】
このように、本開示の実施例の端末は、トリガー条件を用いてセルを管理する場合、ネットワーク機器によって配置される測定配置情報のうちの測定対象配置情報に基づいて目標セルの測定を開始し、測定配置情報のうちの測定停止のトリガーイベント情報に基づいて、トリガーイベント情報によって指示されるトリガーイベントが満たされると、前記目標対象のうちの少なくとも一部の対象の測定を停止するか否かを決定することによって、測定のための追加的なシグナリング配置を節約し、端末の省電力化の効果を達成することができる。
【図面の簡単な説明】
【００１５】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００１６】
【図１】条件トリガーによるセル切り替えのフローチャートである。
【図２】本開示の実施例に係る測定方法のフローチャートである。
【図３】本開示の実施例に係る端末のモジュール構造図である。
【図４】本開示の実施例に係る端末のブロック図である。
【図５】本開示の実施例に係る測定配置方法のフローチャートである。
【図６】本開示の実施例に係るネットワーク機器のモジュール構造図である。
【図７】本開示の実施例に係る端末のブロック図である。
【発明を実施するための形態】
【００１７】
以下、添付図面を参照して本開示の例示的な実施例を更に詳細に記載する。本開示の例示的な実施例を図面に示しているが、本開示は、ここで説明した実施例に限定されることなく様々な形態で実現されることが理解されるべきである。これらの実施例を示すことは、本開示をより徹底的に理解してもらい、本開示の範囲を当業者に全面的に伝えるためである。
【００１８】
本願の明細書及び特許請求の範囲における「第１」、「第２」などは、類似の対象を区別するために用いられるものであり、特定の順番や前後順序を記載するために用いられるものではない。このように使用されるデータは、ここに記載の本願の実施例が例えばここに図示又は記載のもの以外の順序でも実施可能となるように、適宜に互いに交換可能である。また、「含む」や「有する」及びそれらのあらゆる変形は、非排他的に含むことを意味する。例えば、一連のステップ又はユニットを含むプロセス、方法、システム、製品又は機器は、明確に列挙されているステップ又はユニットに限られず、明確に列挙されていないものや、これらのプロセス、方法、製品又は機器に固有の他のステップ又はユニットを含んでもよい。
【００１９】
本開示の実施例は、端末側に応用される測定方法を提供する。図２に示すように、該方法は、以下のステップを含む。
【００２０】
ステップ２１において、測定対象配置情報を受信する。
【００２１】
ここで、該測定対象配置情報は、条件トリガー方式によるセル管理に関連付けられる目標対象を含む。該測定対象配置は、ネットワーク機器によって単独で配置されてもよいし、測定配置情報によって配置されてもよく、即ち測定配置情報には、該測定対象配置情報が担持されている。
【００２２】
ステップ２２において、条件トリガー方式によるセル管理の場合、目標対象の測定を測定対象配置情報に基づいて開始する。
【００２３】
ここで、ネットワーク機器は、明示的又は暗黙的な通知の方式により、条件トリガー方式によるセル管理を端末に通知する。例えば、ネットワーク機器は、専用シグナリング（例えば、ＲＲＣシグナリングなど）により、条件トリガー方式によるセル管理を端末に通知する。目標対象は、目標セル又は目標周波数ポイントを含む。目標対象は、前記測定対象配置情報によって指示される対象のうちの少なくとも一部である。すなわち、測定対象配置情報には、条件トリガー方式によるセル管理に関連付けられる測定対象に加えて、他の測定に関する測定対象も担持されていてもよい。他の測定については、ネットワーク機器は、測定ＩＤ（ｍｅａｓＩＤ）により測定報告配置（ｒｅｐｏｒｔＣｏｎｆｉｇＩｄ）と測定対象（ｍｅａｓＯｂｊｅｃｔＩｄ）との関連関係配置情報を作成し、該関連関係配置情報を端末に送信する。端末は、該関連関係配置情報を検出すると、該関連関係配置情報で指定される測定対象の測定を開始する。
【００２４】
条件トリガー方式によるセル管理の場合、ネットワーク機器から送信された測定配置情報を受信すると、測定対象配置情報で指示される目標対象の測定を直接開始することが好ましい。ここで、目標対象は、測定対象配置情報で指示される対象のうちの少なくとも一部である。特に、目標対象は、測定対象配置情報で指示される、条件トリガー方式によるセル管理に関連付けられるセル又は周波数ポイントである。
【００２５】
ステップ２３において、所定トリガーイベントが満たされると、目標対象のうちの少なくとも一部の対象の測定を停止するか否かを決定する。
【００２６】
端末は、所定トリガーイベント（又はトリガー条件と呼ばれる）に基づいて測定を停止又は継続する。
【００２７】
ここで、端末が条件トリガー方式に基づいてセルを管理する必要がある場合（該当セルの追加、修正、削除、変更を含む）、ネットワーク機器は、該当するトリガー条件配置を端末に送信する。該「トリガー条件配置」には、１つ又は複数のセル又は周波数ポイントに対する測定結果の評価を含む場合、ネットワーク機器は、該１つ又は複数のセル又は周波数ポイントの測定配置情報を配置し又はプロトコルで約束する。該測定配置情報は、明示的な測定対象配置と暗黙的な測定対象配置のいずれか１つ又は複数の組み合わせを含む。
【００２８】
ここで、明示的な測定対象配置又は暗黙的な測定対象配置については、対応する測定報告配置（例えば、ｒｅｐｏｒｔＣｏｎｆｉｇＩｄ）及び／又は測定ＩＤ配置（例えば、ｍｅａｓＩｄ）を配置しなくてもよい。
【００２９】
ここで、測定対象配置情報は、
測定不要なセルＩＤ情報、
目標対象の周波数ポイントＩＤ情報（ここで、暗黙的な測定対象配置の場合、該周波数ポイントＩＤは、トリガー条件配置に担持される周波数ポイントＩＤである。）、
目標対象のセルＩＤ情報（ここで、暗黙的な測定対象配置の場合、該セルＩＤは、トリガー条件配置に担持されるセルＩＤである。）、
測定対象が条件トリガー方式によるセル管理に用いられるかを指示する第１指示情報であって、測定対象が条件トリガー方式によるセル管理に用いられるかを指示するための指示情報（端末は、測定対象配置情報における第１指示情報に基づいて、どの対象が条件トリガー方式によるセル管理に用いられるかを決定し、対応する対象の測定を開始する。例えば、該第１指示情報が「１」である場合、該測定対象が条件トリガー方式によるセル管理の測定に用いられることを指示する。この場合、該測定対象の測定結果は、対応する測定報告を有しなくてよい。該第１指示情報が「０」である場合、該測定対象が他の測定に用いられることを指示する。この場合、該測定対象の測定結果は、対応する測定の報告を有する。）、
同期信号ブロックＳＳＢ（Ｓｙｎｃｈｒｏｎｏｕｓ  Ｓｉｇｎａｌ  Ｂｌｏｃｋ）又はチャネル状態情報参照信号ＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）の位置など、目標対象に対応する参照信号配置情報、
フィルタ係数（ｆｉｌｔｅｒ  Ｃｏｅｆｆｉｃｉｅｎｔ）など、目標対象のレイヤ３フィルタの配置情報、
目標対象の測定結果タイプ情報（ここで、測定結果タイプは、参照信号受信電力ＲＳＲＰ（Ｒｅｆｅｒｅｎｃｅ  Ｓｙｍｂｏｌ  Ｒｅｃｅｉｖｅｄ  Ｐｏｗｅｒ）、参照信号受信品質ＲＳＲＱ（Ｒｅｆｅｒｅｎｃｅ  Ｓｉｇｎａｌ  Ｒｅｃｅｉｖｅｄ  Ｑｕａｌｉｔｙ）、信号干渉雑音比ＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）のうち少なくとも１つを含むが、これらに限定されない。）、及び
少なくとも１つの所定トリガーイベントが満たされてから引き続き測定するかを指示する第２指示情報であって、１つ又は複数の所定トリガーイベント（トリガー条件）が満たされてから引き続き測定するかを指示する指示情報（例えば、ある周波数ポイント又はセルの測定に対し、端末による条件切り替えの完了後に引き続き該周波数ポイント又はセルを測定するかを指示する）のうちの少なくとも１つを含む。
【００３０】
ここで、所定トリガーイベントは、予め定義されるか、ネットワーク機器によって配置される。ネットワーク機器が測定を停止するための所定トリガーイベントを測定配置情報に担持することが好ましい。所定トリガーイベントは、セル切替え成功、セル切替え失敗、目標セカンダリセル群ＳＣＧ（Ｓｅｃｏｎｄａｒｙ  Ｃｅｌｌ  Ｇｒｏｕｐ）アクセス成功、目標ＳＣＧアクセス失敗、及び無線リンク失敗のうちの少なくとも１つを含む。５Ｇシステムにおいて、端末は、ネットワーク側のマスタノードＭＮ（Ｍａｓｔｅｒ  Ｎｏｄｅ）に対応するマスタセルグループＭＣＧ（Ｍａｓｔｅｒ  Ｃｅｌｌ  Ｇｒｏｕｐ）と、ネットワーク側のセカンダリノードＳＮ（Ｓｅｃｏｎｄａｒｙ  Ｎｏｄｅ）に対応するＳＣＧを含む２重接続ＤＣ（Ｄｕａｌ  Ｃｏｎｎｅｃｔｉｖｉｔｙ）アーキテクチャを採用している。ＭＣＧは、プライマリセルＰＣｅｌｌ（Ｐｒｉｍａｒｙ  ｃｅｌｌ）及びセカンダリセルＳＣｅｌｌ（Ｓｅｃｏｎｄａｒｙ  Ｃｅｌｌ）を含み、ＳＣＧは、プライマリセカンダリセルＰＳＣｅｌｌ及びセカンダリセルＳＣｅｌｌを含む。ここで、ＰＣｅｌｌ及びＰＳＣｅｌｌは、ＳｐＣｅｌｌと統一に呼ばれてもよい。
【００３１】
好ましくは、ステップ２３は、以下の方式によって実現されるが、これらに限定されない。
【００３２】
方式１：所定トリガーイベントが満たされると、すべての目標対象の測定の停止を決定する。すなわち、切り替え成功後に、測定対象配置情報によって指示される、条件トリガー方式によるセル管理に関連付けられる全ての目標対象の測定を停止する。切り替え失敗後に、測定対象配置情報によって指示される、条件トリガー方式によるセル管理に関連付けられる全ての目標対象の測定を停止する。ある目標ＳＣＧアクセス成功後に、測定対象配置情報によって指示される、条件トリガー方式によるセル管理に関連付けられる全ての目標対象の測定を停止する。ある目標ＳＣＧアクセス失敗（例えば、ＳＣＧ  ｆａｉｌｕｒｅ）後に、測定対象配置情報によって指示される、条件トリガー方式によるセル管理に関連付けられる全ての目標対象の測定を停止する。無線リンク失敗後に、測定対象配置情報によって指示される、条件トリガー方式によるセル管理に関連付けられる全ての目標対象の測定を停止する。
【００３３】
方式２：所定トリガーイベントにセル切り替え成功又は目標ＳＣＧアクセス成功が含まれる場合、セル切り替え成功又は目標ＳＣＧアクセス成功になると、目標対象のうち、現在のサービングセル以外の対象の測定の停止を決定する。すなわち、切り替え成功後に、サービングセル以外の、測定対象配置情報によって指示される、条件トリガー方式によるセル管理に関連付けられる全ての目標対象の測定を停止する。又は、ある目標ＳＣＧアクセス成功後に、サービングセル以外の、測定対象配置情報によって指示される、条件トリガー方式によるセル管理に関連付けられる全ての目標対象の測定を停止する。
【００３４】
方式３：測定対象配置情報に第２指示情報が含まれる場合、所定トリガーイベントが満たされると、目標対象のうちの少なくとも一部の対象の測定を停止するか否かを第２指示情報に基づいて決定する。すなわち、測定対象配置情報のうちの第２指示情報、例えば、ある目標対象の測定を停止又は継続する指示情報に基づいて、所定トリガーイベントが満たされると、該第２指示情報によって指示される目標対象の測定を停止又は継続する。例えば、ある所定トリガーイベントが満たされると、第２指示情報（例えば測定を継続するか否かの指示情報）によって指示される測定継続対象以外の、測定対象配置情報によって指示される、条件トリガー方式によるセル管理に関連付けられる全ての目標対象の測定を停止する。
【００３５】
方式４：測定対象配置情報に第２指示情報が含まれる場合、所定トリガーイベントが満たされ、且つ目標対象の配置プロセスが完了した場合、目標対象のうちの少なくとも一部の対象の測定を停止するか否かを第２指示情報に基づいて決定する。すなわち、測定対象配置情報のうちの第２指示情報、例えば、ある目標対象の測定を停止又は継続する指示情報に基づいて、所定トリガーイベントが満たされ且つ目標対象の配置プロセスに成功する（例えば切り替え成功）と、該第２指示情報によって指示される目標対象の測定を停止又は継続する。
【００３６】
ここで、方式３と方式４において、目標対象のうちの少なくとも一部の対象の測定を停止するか否かを第２指示情報に基づいて決定することは、以下の１つを含む。
第２指示情報によって指示される測定継続必要な第１目標対象に基づいて、第１目標対象の測定の継続を決定する。例えば、切り替え成功後に、あるセルの測定の継続が第２指示情報によって指示されると、それらのセルの測定を継続する。又は、あるＳＣＧアクセス成功後に、あるセルの測定の継続が第２指示情報によって指示されると、それらのセルの測定を継続する。加えて、端末は、第１目標対象の測定を継続する場合、更に、第１目標対象以外の、測定対象配置情報によって指示される、条件トリガー方式によるセル管理に関連付けられるすべての目標対象を停止する。
第２指示情報によって指示される測定継続不要な第２目標対象に基づいて、第２目標対象の測定の停止を決定する。例えば、切り替え成功後に、あるセルの測定の停止（すなわち継続しない）が第２指示情報によって指示されると、それらのセルの測定を停止する。又は、あるＳＣＧアクセス成功後に、あるセルの測定の停止が第２指示情報によって指示されると、それらのセルの測定を停止する。
第２指示情報によって指示される測定継続必要な第１目標対象に基づいて、目標対象のうち、第１目標対象以外の他の対象の測定の停止を決定する。例えば、切り替え成功後に、第２指示情報（例えばある目標対象の測定を継続する）によって指示される第１目標対象以外の、測定対象配置情報によって指示される、条件トリガー方式によるセル管理に関連付けられるすべての目標対象の測定を停止する。又は、あるＳＣＧアクセス成功後に、第２指示情報（例えばある目標対象の測定を継続する）によって指示される第１目標対象以外の、測定対象配置情報によって指示される、条件トリガー方式によるセル管理に関連付けられるすべての目標対象の測定を停止する。
【００３７】
所定トリガーイベントにセル切り替え成功又は目標ＳＣＧアクセス成功が含まれる場合、第１目標対象が現在のサービングセルを含むことが好ましい。第２指示情報によって指示される測定継続必要な第１目標対象に基づいて第１目標対象の測定の継続を決定することを例にとる場合、切り替え成功後に、あるサービングセルの測定継続が第２指示情報によって指示されると、該サービングセルの測定を継続する。又は、あるＳＣＧアクセス成功後に、あるサービングセルの測定継続が第２指示情報によって指示されると、該サービングセルの測定を継続する。加えて、端末は、サービングセルの測定を継続する場合、更に、該サービングセル以外の、測定対象配置情報によって指示される、条件トリガー方式によるセル管理に関連付けられるすべての目標対象の測定を停止する。
【００３８】
本開示の実施例の測定方法において、端末がトリガー条件を用いてセルを管理する場合、ネットワーク機器によって配置される測定配置情報のうちの測定対象配置情報に基づいて目標セルの測定を開始し、測定配置情報のうちの測定停止のトリガーイベント情報に基づいて、トリガーイベント情報によって指示されるトリガーイベントが満たされると、前記目標対象のうちの少なくとも一部の対象の測定を停止するか否かを決定することによって、測定のための追加的なシグナリング配置を節約し、端末の省電力化の効果を達成することができる。
【００３９】
以上の実施例は、異なるシーンにおける測定方法を紹介したが、以下、更に、それに対応する端末を図面とともに紹介する。
【００４０】
図３に示すように、本開示の実施例の端末３００は、上記実施例における、測定対象配置情報を受信することと、条件トリガー方式によるセル管理の場合、目標対象の測定を測定対象配置情報に基づいて開始することと、所定トリガーイベントが満たされると、目標対象のうちの少なくとも一部の対象の測定を停止するか否かを決定することとを実現可能であり、同じ効果を奏することもできる。該端末３００は、具体的には、測定対象配置情報を受信するための受信モジュール３１０と、条件トリガー方式によるセル管理の場合、測定対象配置情報によって指示される対象のうちの少なくとも一部である目標対象の測定を、測定対象配置情報に基づいて開始するための開始モジュール３２０と、所定トリガーイベントが満たされると、目標対象のうちの少なくとも一部の対象の測定を停止するか否かを決定するための処理モジュール３３０とを含む。
【００４１】
ここで、測定対象配置情報は、測定不要なセルＩＤ情報、目標対象の周波数ポイントＩＤ情報、目標対象のセルＩＤ情報、測定対象が条件トリガー方式によるセル管理に用いられるかを指示する第１指示情報、目標対象に対応する参照信号配置情報、目標対象のレイヤ３フィルタの配置情報、目標対象の測定結果タイプ情報、及び、少なくとも１つの所定トリガーイベントが満たされてから引き続き測定するかを指示する第２指示情報のうちの少なくとも１つを含む。
【００４２】
ここで、所定トリガーイベントは、予め定義されるか、ネットワーク機器によって配置される。
【００４３】
ここで、所定トリガーイベントは、セル切り替え成功、セル切り替え失敗、目標セカンダリセル群ＳＣＧアクセス成功、目標ＳＣＧアクセス失敗、及び、無線リンク失敗のうちの少なくとも１つを含む。
【００４４】
ここで、処理モジュール３３０は、所定トリガーイベントが満たされると、すべての目標対象の測定の停止を決定するための第１決定サブモジュールを含む。
【００４５】
ここで、処理モジュール３３０は、所定トリガーイベントにセル切り替え成功又は目標ＳＣＧアクセス成功が含まれる場合、セル切り替え成功又は目標ＳＣＧアクセス成功になると、目標対象のうち、現在のサービングセル以外の対象の測定の停止を決定するための第２決定サブモジュールを更に含む。
【００４６】
ここで、測定対象配置情報に第２指示情報が含まれる場合、処理モジュール３３０は、所定トリガーイベントが満たされると、目標対象のうちの少なくとも一部の対象の測定を停止するか否かを、第２指示情報に基づいて決定するための第３決定サブモジュール、及び、所定トリガーイベントが満たされ、且つ目標対象の配置プロセスが完了した場合、目標対象のうちの少なくとも一部の対象の測定を停止するか否かを、第２指示情報に基づいて決定するための第４決定サブモジュールのうちの１つを更に含む。
【００４７】
ここで、第３決定サブモジュール又は第４決定サブモジュールは、第２指示情報によって指示される測定継続必要な第１目標対象に基づいて、第１目標対象の測定の継続を決定するための第１決定ユニットと、第２指示情報によって指示される測定継続不要な第２目標対象に基づいて、第２目標対象の測定の停止を決定するための第２決定ユニットと、第２指示情報によって指示される測定継続必要な第１目標対象に基づいて、目標対象のうち、第１目標対象以外の他の対象の測定の停止を決定するための第３決定ユニットのうちの１つを含む。
【００４８】
ここで、所定トリガーイベントにセル切り替え成功又は目標ＳＣＧアクセス成功が含まれる場合、第１目標対象は、現在のサービングセルを含む。
【００４９】
なお、本開示の実施例の端末は、トリガー条件を用いてセルを管理する場合、ネットワーク機器によって配置される測定配置情報のうちの測定対象配置情報に基づいて目標セルの測定を開始し、測定配置情報のうちの測定停止のトリガーイベント情報に基づいて、トリガーイベント情報によって指示されるトリガーイベントが満たされると、前記目標対象のうちの少なくとも一部の対象の測定を停止するか否かを決定することによって、測定のための追加的なシグナリング配置を節約し、端末の省電力化の効果を達成することができる。
【００５０】
上記目的をよりよく実現するために、更に、図４は、本開示の各実施例を実現する端末のハードウェア構造図である。該端末４０は、ラジオ周波数ユニット４１と、ネットワークモジュール４２と、オーディオ出力ユニット４３と、入力ユニット４４と、センサ４５と、表示ユニット４６と、ユーザ入力ユニット４７と、インタフェースユニット４８と、メモリ４９と、プロセッサ４１０と、電源４１１などの構成要素を含むが、これらに限定されない。図４に示される端末の構造は、端末を限定するものではなく、端末は、図示されるよりも多い又は少ない構成要素を含むことができ、又は特定の構成要素を組み合わせることができ、又は異なる構成要素の配置を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【００５１】
ここで、ラジオ周波数ユニット４１は、測定対象配置情報を受信することに用いられる。プロセッサ４１０は、条件トリガー方式によるセル管理の場合、測定対象配置情報によって指示される対象のうちの少なくとも一部である目標対象の測定を、測定対象配置情報に基づいて開始することと、所定トリガーイベントが満たされると、目標対象のうちの少なくとも一部の対象の測定を停止するか否かを決定することとに用いられる。
【００５２】
本開示の実施例の端末は、トリガー条件を用いてセルを管理する場合、ネットワーク機器によって配置される測定配置情報のうちの測定対象配置情報に基づいて目標セルの測定を開始し、測定配置情報のうちの測定停止のトリガーイベント情報に基づいて、トリガーイベント情報によって指示されるトリガーイベントが満たされると、前記目標対象のうちの少なくとも一部の対象の測定を停止するか否かを決定することによって、測定のための追加的なシグナリング配置を節約し、端末の省電力化の効果を達成することができる。
【００５３】
本開示の実施例において、ラジオ周波数ユニット４１は、情報の送受信又は通話中で信号の送受信に用いられ、具体的に、基地局からのダウンリンクデータを受信した後、プロセッサ４１０による処理にし、また、アップリンクデータを基地局に送信する。一般に、ラジオ周波数ユニット４１は、アンテナ、少なくとも１つの増幅器、トランシーバ、結合器、低雑音増幅器、デュプレクサなどを含むが、それらに限定されない。また、ラジオ周波数ユニット４１は、無線通信システムを介してネットワークや他の機器と通信を行うこともできる。
【００５４】
端末は、ネットワークモジュール４２を介して、電子メールの送受信、ウェブページの閲覧、ストリーミングメディアへのアクセスを支援するなど、無線ブロードバンドインターネットアクセスをユーザに提供する。
【００５５】
オーディオ出力ユニット４３は、ラジオ周波数ユニット４１やネットワークモジュール４２が受信したオーディオデータや、メモリ４９に記憶されたオーディオデータを音声信号に変換して音声として出力することができる。また、オーディオ出力ユニット４３は、端末４０が実行する特定の機能に関するオーディオ（例えば、呼出信号着信音、メッセージ着信音等）を出力してもよい。オーディオ出力ユニット４３は、スピーカ、ブザー及びレシーバなどを含む。
【００５６】
入力ユニット４４は、オーディオや映像の信号を受信することに用いられる。入力ユニット４４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）４４１と、マイク４４２とを含む。処理された画像フレームは、表示ユニット４６上に表示される。グラフィックスプロセッサ４４１で処理された画像フレームは、メモリ４９（又は他の記憶媒体）に記憶されるか、又はラジオ周波数ユニット４１又はネットワークモジュール４２を介して送信される。マイク４４２は、音声を受信し、オーディオデータに加工することができる。処理されたオーディオデータは、電話通話モードの場合、ラジオ周波数ユニット４１を介して移動体通信基地局に送信可能な形式に変換して出力することができる。
【００５７】
端末４０は、光センサ、モーションセンサ及び他のセンサのような少なくとも１つのセンサ４５を更に含む。具体的には、光センサは、周辺光センサ及び近接センサを含む。周辺光センサは、周辺光の明暗に応じて表示パネル４６１の輝度を調節し、近接センサは、端末４０が耳に移動したときに表示パネル４６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（例えば、歩数計、ノッキング）などに用いることができる。センサ４５は、指紋センサ、圧力センサ、虹彩センサ、分子センサ、ジャイロスコープ、気圧計、湿度計、温度計、赤外線センサなどを更に含むことができるが、ここでは枚挙しない。
【００５８】
表示ユニット４６は、ユーザが入力した情報やユーザに提供した情報を表示するために用いられる。表示ユニット４６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル４６１を含んでもよい。
【００５９】
ユーザ入力ユニット４７は、数字や文字情報の入力を受け付け、ユーザによる端末の設定や機能制御に関するキー信号の入力を行うことに用いられる。具体的に、ユーザ入力ユニット４７は、タッチパネル４７１と、その他の入力装置４７２とを含む。タッチパネル４７１は、タッチスクリーンとも呼ばれ、その上又は付近でのユーザのタッチ操作を取得可能である（例えばユーザが指やスタイラスなどの任意の適切な物体や付属部材を用いたタッチパネル４７１の上又はタッチパネル４７１の付近での操作）。タッチパネル４７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ４１０に送り、プロセッサ４１０からの命令を受信して実行する。なお、タッチパネル４７１は、抵抗膜式、静電容量式、赤外線、表面弾性波など、種々の方式を用いて実現することができる。ユーザ入力ユニット４７は、タッチパネル４７１の他に、他の入力装置４７２を含んでもよい。具体的に、他の入力装置４７２は、物理的なキーボード、機能キー（例えば、音量調節キー、スイッチキーなど）、トラックボール、マウス、レバーを含むが、ここでは枚挙しない。
【００６０】
更に、タッチパネル４７１は、表示パネル４６１に重ねられる。タッチパネル４７１は、その上又はその近くでタッチ操作を検出すると、プロセッサ４１０に送信して、タッチイベントのタイプを決定する。次いで、プロセッサ４１０は、タッチイベントのタイプに応じて、対応する視覚的出力を表示パネル４６１に提供する。図４では、タッチパネル４７１と表示パネル４６１は、独立した２つの部品として端末の入出力機能を実現するが、実施例によっては、タッチパネル４７１と表示パネル４６１を一体化して端末の入出力機能を実現することもでき、具体的にここでは限定しない。
【００６１】
インタフェースユニット４８は、外部装置と端末４０とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット４８は、外部装置から入力（例えば、データ情報、電力など）を受信し、受信した入力を端末４０内の１つ以上の要素に伝送するために使用されてもよく、又は端末４０と外部装置との間でデータを伝送するために使用されてもよい。
【００６２】
メモリ４９は、ソフトウェアプログラム及び様々なデータを格納するために使用される。メモリ４９は、オペレーティングシステム、少なくとも１つの機能に必要なアプリケーション（例えば、音声再生機能、画像再生機能など）などを格納することができるプログラム格納領域と、データ格納領域とを主に含んでもよい。データ格納領域は、オーディオデータや電話帳など、携帯電話機の使用に応じて作成されたデータを記憶することができる。更に、メモリ４９は、高速ランダムアクセスメモリを含んでもよく、少なくとも１つの磁気ディスク記憶装置、フラッシュメモリデバイスなどの不揮発性メモリ、又は他の揮発性固体記憶デバイスを含んでもよい。
【００６３】
プロセッサ４１０は、端末の制御センタであり、各種インタフェースや回線を用いて端末全体の各部を接続し、メモリ４９に格納されたソフトウェアプログラム及び／又はモジュールを実行、メモリ４９に格納されたデータを呼び出して端末の各種機能及び処理データを実行し、端末全体の監視を行う。プロセッサ４１０は、１つ以上の処理ユニットを含んでもよい。プロセッサ４１０は、オペレーティングシステム、ユーザインターフェース及びアプリケーションなどを主に処理するアプリケーションプロセッサと、ワイヤレス通信を主に処理するモデムプロセッサとを統合することができることが好ましい。上述のモデムプロセッサは、プロセッサ４１０に統合されなくてもよいことが理解される。
【００６４】
端末４０は、各構成要素に電力を供給するためのバッテリのような電源４１１を更に含んでもよい。電源４１１は、電源管理システムを介してプロセッサ４１０に論理的に接続されてもよく、電源管理システムを介して充電、放電、及び消費電力管理などを管理する機能を実現することが好ましい。
【００６５】
また、端末４０は、図示しない機能モジュールを更に含んでもよく、ここでの説明は省略する。
【００６６】
好ましくは、本開示の実施例は、プロセッサ４１０と、メモリ４９と、メモリ４９に格納されてプロセッサ４１０で動作可能なコンピュータプログラムとを含む端末を更に提供し、該コンピュータプログラムがプロセッサ４１０によって実行されると、上記測定方法の実施例の各プロセスが実現され、且つ同一の技術効果を奏することもできるので、重複を避けるためにここでは繰り返して記載しない。ここで、端末は、無線端末であってもよく有線端末であってもよい。無線端末とは、音声及び／又は他のサービスデータ接続性をユーザに提供する機器を指し、無線接続機能の携帯式機器、又は、無線モデムに接続される他の処理機器を有する。無線端末は、無線アクセスネットワークＲＡＮ（Ｒａｄｉｏ  Ａｃｃｅｓｓ  Ｎｅｔｗｏｒｋ）を介して１つ又は複数のコアネットワークと通信可能である。無線端末は、移動電話（又は「セルラー」電話と称される）などの移動端末、移動端末を有するコンピュータなどである。例えば、端末は、携帯式、ポータブル式、ハンドヘルド式、コンピュータ内蔵式又は車載の移動装置であり、無線アクセスネットワークとは音声及び／又はデータのやり取りを行う。例えば、ＰＣＳ（Ｐｅｒｓｏｎａｌ  Ｃｏｍｍｕｎｉｃａｔｉｏｎ  Ｓｅｒｖｉｃｅ）電話、コードレス電話、ＳＩＰ（Ｓｅｓｓｉｏｎ  Ｉｎｉｔｉａｔｉｏｎ  Ｐｒｏｔｏｃｏｌ）電話機、ＷＬＬ（Ｗｉｒｅｌｅｓｓ  Ｌｏｃａｌ  Ｌｏｏｐ）局、ＰＤＡ（Ｐｅｒｓｏｎａｌ  Ｄｉｇｉｔａｌ  Ａｓｓｉｓｔａｎｔ）などの機器である。無線端末は、システム、受信契約ユニット（Ｓｕｂｓｃｒｉｂｅｒ  Ｕｎｉｔ）、受信契約局（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、リモートステーション（Ｒｅｍｏｔｅ  Ｓｔａｔｉｏｎ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザ機器（Ｕｓｅｒ  Ｄｅｖｉｃｅ  ｏｒ  Ｕｓｅｒ  Ｅｑｕｉｐｍｅｎｔ）と呼ばれてもよいが、ここでは限定されない。
【００６７】
本開示の実施例は、コンピュータプログラムが格納されているコンピュータ読み取り可能な記憶媒体を更に提供し、当該コンピュータプログラムがプロセッサによって実行されると、上記の測定方法の実施例の各プロセスが実現され、かつ同じ技術効果を奏することもできるため、重複を避けるために、ここでは繰り返して記載しない。ここで、コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど等である。
【００６８】
以上の実施例は、端末側から本開示の測定方法を紹介したが、以下、本実施例は、更に、ネットワーク機器側の測定配置方法を図面とともに紹介する。
【００６９】
図５は、本開示の実施例のネットワーク機器側に応用される測定配置方法を示し、測定対象配置情報を送信するステップ５１を含む。
【００７０】
ここで、測定対象配置情報は、条件トリガー方式によるセル管理に関連付けられる目標対象を指示することに用いられる。目標対象は、目標セル又は目標周波数ポイントを含む。なお、測定対象配置情報には、条件トリガー方式によるセル管理に関連付けられる測定対象に加えて、他の測定に関する測定対象も担持されてもよい。このように、目標対象は、測定対象配置情報で指示される対象のうちの少なくとも一部である。
【００７１】
条件トリガー方式によるセル管理の場合、端末は、ネットワーク機器から送信された測定配置情報を受信すると、測定対象配置情報によって指示される目標対象の測定を直接開始する。
【００７２】
ここで、測定対象配置情報は、
測定不要なセルＩＤ情報、
目標対象の周波数ポイントＩＤ情報（ここで、暗黙的な測定対象配置の場合、該周波数ポイントＩＤは、トリガー条件配置に担持される周波数ポイントＩＤである。）、
目標対象のセルＩＤ情報（ここで、暗黙的な測定対象配置の場合、該セルＩＤは、トリガー条件配置に担持されるセルＩＤである。）、
測定対象が条件トリガー方式によるセル管理に用いられるかを指示する第１指示情報であって、測定対象が条件トリガー方式によるセル管理に用いられるかを指示するための指示情報（端末は、測定対象配置情報における第１指示情報に基づいて、どの対象が条件トリガー方式によるセル管理に用いられるかを決定し、対応する対象の測定を開始する。）、
ＳＳＢ又はＣＳＩ−ＲＳの位置など、目標対象に対応する参照信号配置情報、
フィルタ係数など、目標対象のレイヤ３フィルタの配置情報、
目標対象の測定結果タイプ情報（ここで、測定結果タイプは、ＲＳＲＰ、ＲＳＲＱ、ＳＩＮＲのうち少なくとも１つを含むが、これらに限定されない。）、及び
少なくとも１つの所定トリガーイベントが満たされてから引き続き測定するかを指示する第２指示情報であって、１つ又は複数の所定トリガーイベント（トリガー条件）が満たされてから引き続き測定するかを指示する指示情報のうちの少なくとも１つを含む。
【００７３】
該測定配置方法において、所定トリガーイベントを端末に配置することを更に含むことが好ましい。ここで、所定トリガーイベント情報は、所定トリガーイベントが満たされると、目標対象のうちの少なくとも一部の対象の測定を停止するか否かを決定するように端末に指示することに用いられる。このように、端末は、所定トリガーイベント（又はトリガー条件と呼ばれる）に基づいて測定を停止又は継続する。ネットワーク機器によって所定トリガーイベントを配置するほかに、プロトコルで予め定義する方式によって、該所定トリガーイベントを決定してもよい。ここで、所定トリガーイベントは、セル切り替え成功、セル切り替え失敗、目標セカンダリセル群ＳＣＧアクセス成功、目標ＳＣＧアクセス失敗、及び、無線リンク失敗のうちの少なくとも１つを含む。
【００７４】
ここで、所定トリガーイベント情報は、所定トリガーイベントが満たされると、すべての目標対象の測定の停止を決定するように端末に指示することに用いられる。すると、端末は、切り替え成功後に、測定対象配置情報によって指示される、条件トリガー方式によるセル管理に関連付けるすべての目標対象の測定を停止する。端末は、切り替え失敗後に、測定対象配置情報によって指示される、条件トリガー方式によるセル管理に関連付けるすべての目標対象の測定を停止する。端末は、ある目標ＳＣＧアクセス成功後に、測定対象配置情報によって指示される、条件トリガー方式によるセル管理に関連付けるすべての目標対象の測定を停止する。端末は、ある目標ＳＣＧアクセス失敗（例えばＳＣＧ  ｆａｉｌｕｒｅ）後に、測定対象配置情報によって指示される、条件トリガー方式によるセル管理に関連付けるすべての目標対象の測定を停止する。端末は、無線リンク失敗後に、測定対象配置情報によって指示される、条件トリガー方式によるセル管理に関連付けるすべての目標対象の測定を停止する。
【００７５】
ここで、所定トリガーイベントにセル切り替え成功又は目標ＳＣＧアクセス成功が含まれる場合、所定トリガーイベント情報は、セル切り替え成功又は目標ＳＣＧアクセス成功になると、目標対象のうち、現在のサービングセル以外の対象の測定の停止を決定するように端末に指示することに用いられる。このように、端末は、切り替え成功後に、サービングセル以外の測定対象配置情報によって指示される、条件トリガー方式によるセル管理に関連付けるすべての目標対象の測定を停止し、又は、あるＳＣＧアクセス成功後に、サービングセル以外の測定対象配置情報によって指示される、条件トリガー方式によるセル管理に関連付けるすべての目標対象の測定を停止する。
【００７６】
ここで、測定対象配置情報に第２指示情報が含まれる場合、所定トリガーイベント情報は、以下の１つを指示することに用いられる。
端末は、トリガーイベント情報によって指示されるトリガーイベントが満たされると、目標対象のうちの少なくとも一部の対象の測定を停止するか否かを、第２指示情報に基づいて決定する。このように、端末は、所定トリガーイベントが満たされると、該第２指示情報によって指示される目標対象の測定を停止又は継続する。
端末は、トリガーイベント情報によって指示されるトリガーイベントが満たされ、且つ目標対象の配置プロセスが完了した場合、目標対象のうちの少なくとも一部の対象の測定を停止するか否かを、第２指示情報に基づいて決定する。このように、端末は、所定トリガーイベントが満たされ、且つ目標対象の配置プロセスに成功する（例えば切り替え成功）と、該第２指示情報によって指示される目標対象の測定を停止又は継続する。
【００７７】
具体的には、所定トリガーイベント情報は、以下の１つを指示することに用いられる。
端末は、第２指示情報によって指示される測定継続必要な第１目標対象に基づいて、第１目標対象の測定の継続を決定する。このように、端末は、第２指示情報によって指示される測定継続必要な第１目標対象に基づいて、第１目標対象の測定の継続を決定する。例えば、切り替え成功後に、あるセルの測定の継続が第２指示情報によって指示されると、それらのセルの測定を継続する。又は、あるＳＣＧアクセス成功後に、あるセルの測定の継続が第２指示情報によって指示されると、それらのセルの測定を継続する。加えて、端末は、第１目標対象の測定を継続する場合、更に、第１目標対象以外の、測定対象配置情報によって指示される、条件トリガー方式によるセル管理に関連付けられるすべての目標対象を停止する。
端末は、第２指示情報によって指示される測定継続不要な第２目標対象に基づいて、第２目標対象の測定の停止を決定する。このように、端末は、第２指示情報によって指示される測定継続不要な第２目標対象に基づいて、第２目標対象の測定の停止を決定する。例えば、切り替え成功後に、あるセルの測定の停止（すなわち継続しない）が第２指示情報によって指示されると、それらのセルの測定を停止する。又は、あるＳＣＧアクセス成功後に、あるセルの測定の停止が第２指示情報によって指示されると、それらのセルの測定を停止する。
端末は、第２指示情報によって指示される測定継続必要な第１目標対象に基づいて、目標対象のうち前記第１目標対象以外の他の対象の測定の停止を決定する。このように、端末は、第２指示情報によって指示される測定継続必要な第１目標対象に基づいて、目標対象のうち前記第１目標対象以外の他の対象の測定の停止を決定する。例えば、切り替え成功後に、第２指示情報（例えばある目標対象の測定を継続する）によって指示される第１目標対象以外の、測定対象配置情報によって指示される、条件トリガー方式によるセル管理に関連付けられるすべての目標対象の測定を停止する。又は、あるＳＣＧアクセス成功後に、第２指示情報（例えばある目標対象の測定を継続する）によって指示される第１目標対象以外の、測定対象配置情報によって指示される、条件トリガー方式によるセル管理に関連付けられるすべての目標対象の測定を停止する。
【００７８】
所定トリガーイベントにセル切り替え成功又は目標ＳＣＧアクセス成功が含まれる場合、第１目標対象が現在のサービングセルを含むことが好ましい。このように、第２指示情報によって指示される測定継続必要な第１目標対象に基づいて、端末が第１目標対象の測定の継続を決定することを例にとる場合、端末は、切り替え成功後に、あるサービングセルの測定継続が第２指示情報によって指示されると、該サービングセルの測定を継続する。又は、端末は、あるＳＣＧアクセス成功後に、あるサービングセルの測定継続が第２指示情報によって指示されると、該サービングセルの測定を継続する。加えて、端末は、サービングセルの測定を継続する場合、更に、該サービングセル以外の、測定対象配置情報によって指示される、条件トリガー方式によるセル管理に関連付けられるすべての目標対象の測定を停止する。
【００７９】
本開示の実施例の測定配置方法において、トリガー条件によるセル管理の測定配置情報をネットワーク機器から端末に配置することによって、端末がトリガー条件を用いてセルを管理する場合、ネットワーク機器によって配置される測定配置情報のうちの測定対象配置情報に基づいて目標セルの測定を開始し、測定配置情報のうちの測定停止のトリガーイベント情報に基づいて、トリガーイベント情報によって指示されるトリガーイベントが満たされると、前記目標対象のうちの少なくとも一部の対象の測定を停止するか否かを決定する。それによって、測定のための追加的なシグナリング配置を節約し、端末の省電力化の効果を達成することができる。
【００８０】
以上の実施例は、異なるシーンにおける測定配置方法をそれぞれ詳細に紹介したが、以下、本実施例は、更に、それに対応するネットワーク機器を図面とともに紹介する。
【００８１】
図６に示すように、本開示の実施例のネットワーク機器６００は、上記実施例における測定対象配置情報を送信する方法を実現可能であり、同じ効果を奏することもできる。該ネットワーク機器６００は、具体的には、条件トリガー方式によるセル管理に関連付けられる目標対象を指示するための測定対象配置情報を送信するための送信モジュール６１０を含む。
【００８２】
ここで、測定対象配置情報は、測定不要なセルＩＤ情報、目標対象の周波数ポイントＩＤ情報、目標対象のセルＩＤ情報、測定対象が条件トリガー方式によるセル管理に用いられるかを指示する第１指示情報、目標対象に対応する参照信号配置情報、目標対象のレイヤ３フィルタの配置情報、目標対象の測定結果タイプ情報、及び、少なくとも１つの所定トリガーイベントが満たされてから引き続き測定するかを指示する第２指示情報のうちの少なくとも１つを含む。
【００８３】
ここで、該ネットワーク機器６００は、所定トリガーイベントが満たされると、目標対象のうちの少なくとも一部の対象の測定を停止するか否かを決定するように端末に指示するための所定トリガーイベントを端末に配置するための配置モジュールを更に含む。
【００８４】
ここで、所定トリガーイベントは、セル切り替え成功、セル切り替え失敗、目標セカンダリセル群ＳＣＧアクセス成功、目標ＳＣＧアクセス失敗、及び、無線リンク失敗のうちの少なくとも１つを含む。
【００８５】
ここで、所定トリガーイベント情報は、所定トリガーイベントが満たされると、すべての目標対象の測定の停止を決定するように端末に指示することに用いられる。
【００８６】
ここで、所定トリガーイベントにセル切り替え成功又は目標ＳＣＧアクセス成功が含まれる場合、所定トリガーイベント情報は、セル切り替え成功又は目標ＳＣＧアクセス成功になると、目標対象のうち、現在のサービングセル以外の対象の測定の停止を決定するように端末に指示することに用いられる。
【００８７】
ここで、測定対象配置情報に第２指示情報が含まれる場合、所定トリガーイベント情報は、トリガーイベント情報によって指示されるトリガーイベントが満たされると、目標対象のうちの少なくとも一部の対象の測定を停止するか否かを、端末が第２指示情報に基づいて決定すること、及び、トリガーイベント情報によって指示されるトリガーイベントが満たされ、且つ目標対象の配置プロセスが完了した場合、目標対象のうちの少なくとも一部の対象の測定を停止するか否かを、端末が第２指示情報に基づいて決定することのうちの１つを指示することに用いられる。
【００８８】
ここで、所定トリガーイベント情報は、第２指示情報によって指示される測定継続必要な第１目標対象に基づいて、端末が第１目標対象の測定の継続を決定することと、第２指示情報によって指示される測定継続不要な第２目標対象に基づいて、端末が第２目標対象の測定の停止を決定することと、第２指示情報によって指示される測定継続必要な第１目標対象に基づいて、端末が目標対象のうち第１目標対象以外の他の対象の測定の停止を決定することのうちの１つを指示することに用いられる。
【００８９】
ここで、所定トリガーイベントにセル切り替え成功又は目標ＳＣＧアクセス成功が含まれる場合、第１目標対象は、現在のサービングセルを含む。
【００９０】
なお、以上のネットワーク機器及び端末の各モジュールの分割は、あくまでも論理的機能の分割であり、実際の実現においては、全部又は一部が１つの物理的実体に統合されてもよいし、物理的に分離されてもよい。これらのモジュールは、全てソフトウェアで処理素子によって呼び出される形態で実現されてもよいし、全てハードウェアとして実現されてもよいし、更に、一部のモジュールを処理素子によってソフトウェアを呼び出し、一部のモジュールをハードウェアとして実現することも可能である。例えば、決定モジュールは、個別に設けられた処理素子であってもよいし、上記装置のいずれかのチップに集積されて実現されてもよく、また、プログラムコードの形態で上記装置のメモリに記憶され、上記装置のいずれかの処理素子によって上記決定モジュールの機能が呼び出されて実行されるようにしてもよい。他のモジュールの実現は、同様である。また、これらのモジュールは、全部又は一部が一体化されていてもよいし、独立して実現されていてもよい。ここでいう処理素子とは、信号の処理能力を有する集積回路のことである。実施において、上記方法の各ステップ又は上記の各モジュールは、プロセッサ素子内のハードウェアの集積論理回路又はソフトウェア形態の命令によって実行されてもよい。
【００９１】
例えば、上記モジュールは、上記方法を実施するように構成された１つ又は複数の集積回路、例えば、１つ又は複数の特定の集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣと略称される）、１つ又は複数のマイクロプロセッサ（ｄｉｇｉｔａｌ  ｓｉｇｎａｌ  ｐｒｏｃｅｓｓｏｒ、ＤＳＰと略称される）、又は１つ又は複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡと略称される）などである。また、上記モジュールが、処理素子でプログラムコードを呼び出す形態で実現される場合、この処理素子は、中央処理装置（Ｃｅｎｔｒａｌ  Ｐｒｏｃｅｓｓｉｎｇ  Ｕｎｉｔ、ＣＰＵと略称される）などの汎用プロセッサ、又は、プログラムコードを呼び出すことができる他のプロセッサである。また、これらのモジュールは、一体化されてシステムオンチップ（ｓｙｓｔｅｍ−ｏｎ−ａ−ｃｈｉｐ、ＳＯＣと略称される）の形態で実現されてもよい。
【００９２】
なお、本開示の実施例のネットワーク機器は、トリガー条件によるセル管理の測定配置情報を端末に配置することによって、端末がトリガー条件を用いてセルを管理する場合、ネットワーク機器によって配置される測定配置情報のうちの測定対象配置情報に基づいて目標セルの測定を開始し、測定配置情報のうちの測定停止のトリガーイベント情報に基づいて、トリガーイベント情報によって指示されるトリガーイベントが満たされると、前記目標対象のうちの少なくとも一部の対象の測定を停止するか否かを決定する。それによって、測定のための追加的なシグナリング配置を節約し、端末の省電力化の効果を達成することができる。
【００９３】
上記の目的をよりよく実現するために、本開示の実施例は、プロセッサと、メモリと、メモリに格納されてプロセッサで動作可能なコンピュータプログラムを含むネットワーク機器を更に提供し、プロセッサは、コンピュータプログラムを実行すると、上記の測定配置方法のステップを実現する。発明の実施例は、コンピュータプログラムが格納されているコンピュータ読み取り可能な記憶媒体を更に提供する。コンピュータプログラムがプロセッサによって実行されると、上記の測定配置方法のステップが実現される。
【００９４】
具体的には、本開示の実施例は、ネットワーク機器を更に提供する。図７に示すように、該ネットワーク機器７００は、アンテナ７１と、ラジオ周波数装置７２と、ベースバンド装置７３を含む。アンテナ７１は、ラジオ周波数装置７２に接続される。上り方向では、ラジオ周波数装置７２は、アンテナ７１を介して情報を受信し、受信した情報をベースバンド装置７３に送信して処理する。下り方向では、ベースバンド装置７３は、送信すべき情報を処理してラジオ周波数装置７２に送信する。ラジオ周波数装置７２は、受信した情報を処理してアンテナ７１を介して送信する。
【００９５】
上記周波数バンド処理装置は、ベースバンド装置７３に位置してもよく、上記実施例でネットワーク機器によって実行される方法は、ベースバンド装置７３で実現可能である。このベースバンド装置７３は、プロセッサ７４とメモリ７５を含む。
【００９６】
ベースバンド装置７３は、例えば少なくとも１つのベースバンドボードを含む。このベースバンドボードには、複数のチップが設けられている。図７に示すように、そのうちの１つのチップは、例えばプロセッサ７４である。プロセッサ７４は、メモリ７５に接続され、メモリ７５の中のプログラムを呼び出すことによって、上記実施例に示されるネットワーク機器の操作を実行する。
【００９７】
該ベースバンド装置７３は、ラジオ周波数装置７２との情報のやり取りに用いられるネットワークインターフェース７６を更に含んでもよい。このインタフェースは、例えば汎用共通無線インタフェースＣＰＲＩ（ｃｏｍｍｏｎ  ｐｕｂｌｉｃ  ｒａｄｉｏ  ｉｎｔｅｒｆａｃｅ）である。
【００９８】
ここのプロセッサは、１つのプロセッサであってもよく、複数の処理素子の総称であってもよい。例えば、このプロセッサは、ＣＰＵであってもよく、ＡＳＩＣであってもよく、又は、上記のネットワーク機器によって実行される方法を実施するために構成される１つ又は複数の集積回路、例えば１つ又は複数のマイクロプロセッサＤＳＰ、又は１つ又は複数のフィールドプログラマブルゲートアレイＦＰＧＡなどである。記憶素子は、１つのメモリであってもよく、複数の記憶素子の総称であってもよい。
【００９９】
メモリ７５は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のメモリ７５は、これらに限られず、これら及びこれら以外の任意の適合する種類のメモリを含むとする。
【０１００】
具体的には、本開示の実施例のネットワーク機器は、メモリ７５に格納されてプロセッサ７４で動作可能なコンピュータプログラムを更に含む。プロセッサ７４は、メモリ７５の中のコンピュータプログラムを呼び出して、図６に示す各モジュールによって実行される方法を実行する。
【０１０１】
具体的には、コンピュータプログラムがプロセッサ７４によって呼び出されると、条件トリガー方式によるセル管理に関連付けられる目標対象を指示するための測定対象配置情報を送信することを実行するために用いられる。
【０１０２】
ここで、測定対象配置情報は、測定不要なセルＩＤ情報、目標対象の周波数ポイントＩＤ情報、目標対象のセルＩＤ情報、測定対象が条件トリガー方式によるセル管理に用いられるかを指示する第１指示情報、目標対象に対応する参照信号配置情報、目標対象のレイヤ３フィルタの配置情報、目標対象の測定結果タイプ情報、及び、少なくとも１つの所定トリガーイベントが満たされてから引き続き測定するかを指示する第２指示情報のうちの少なくとも１つを含む。
【０１０３】
ここで、コンピュータプログラムがプロセッサ７４によって呼び出されると、所定トリガーイベントが満たされると、目標対象のうちの少なくとも一部の対象の測定を停止するか否かを決定するように端末に指示するための所定トリガーイベントを端末に配置することを実行することに用いられる。
【０１０４】
ここで、所定トリガーイベントは、セル切り替え成功、セル切り替え失敗、目標セカンダリセル群ＳＣＧアクセス成功、目標ＳＣＧアクセス失敗、及び、無線リンク失敗のうちの少なくとも１つを含む。
【０１０５】
ここで、所定トリガーイベント情報は、所定トリガーイベントが満たされると、すべての目標対象の測定の停止を決定するように端末に指示することに用いられる。
【０１０６】
ここで、所定トリガーイベントにセル切り替え成功又は目標ＳＣＧアクセス成功が含まれる場合、所定トリガーイベント情報は、セル切り替え成功又は目標ＳＣＧアクセス成功になると、目標対象のうち、現在のサービングセル以外の対象の測定の停止を決定するように端末に指示することに用いられる。
【０１０７】
ここで、測定対象配置情報に第２指示情報が含まれる場合、所定トリガーイベント情報は、トリガーイベント情報によって指示されるトリガーイベントが満たされると、目標対象のうちの少なくとも一部の対象の測定を停止するか否かを、端末が第２指示情報に基づいて決定すること、及び、トリガーイベント情報によって指示されるトリガーイベントが満たされ、且つ目標対象の配置プロセスが完了した場合、目標対象のうちの少なくとも一部の対象の測定を停止するか否かを、端末が第２指示情報に基づいて決定することのうちの１つを指示することに用いられる。
【０１０８】
ここで、所定トリガーイベント情報は、第２指示情報によって指示される測定継続必要な第１目標対象に基づいて、端末が第１目標対象の測定の継続を決定することと、第２指示情報によって指示される測定継続不要な第２目標対象に基づいて、端末が第２目標対象の測定の停止を決定することと、第２指示情報によって指示される測定継続必要な第１目標対象に基づいて、端末が目標対象のうち第１目標対象以外の他の対象の測定の停止を決定することのうちの１つを指示することに用いられる。
【０１０９】
ここで、所定トリガーイベントにセル切り替え成功又は目標ＳＣＧアクセス成功が含まれる場合、第１目標対象は、現在のサービングセルを含む。
【０１１０】
ここで、ネットワーク機器は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）又はＣＤＭＡ（Ｃｏｄｅ  Ｄｉｖｉｓｉｏｎ  Ｍｕｌｔｉｐｌｅ  Ａｃｃｅｓｓ）における基地局ＢＴＳ（Ｂａｓｅ  Ｔｒａｎｓｃｅｉｖｅｒ  Ｓｔａｔｉｏｎ）であってもよく、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）における基地局ＮＢ（ＮｏｄｅＢ）であってもよく、更に、ＬＴＥにおけるｅＮＢ又はｅＮｏｄｅＢ（Ｅｖｏｌｕｔｉｏｎａｌ  Ｎｏｄｅ  Ｂ）であってもよく、又は中継局やアクセスポイントであり、又は将来の５Ｇネットワークにおける基地局などであり、ここでは限定されない。
【０１１１】
本開示の実施例のネットワーク機器は、トリガー条件によるセル管理の測定配置情報を端末に配置することによって、端末がトリガー条件を用いてセルを管理する場合、ネットワーク機器によって配置される測定配置情報のうちの測定対象配置情報に基づいて目標セルの測定を開始し、測定配置情報のうちの測定停止のトリガーイベント情報に基づいて、トリガーイベント情報によって指示されるトリガーイベントが満たされると、前記目標対象のうちの少なくとも一部の対象の測定を停止するか否かを決定する。それによって、測定のための追加的なシグナリング配置を節約し、端末の省電力化の効果を達成することができる。
【０１１２】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１１３】
記載の便利や簡潔化のために、以上記載したシステム、装置及びユニットの具体的な動作プロセスは、方法実施例における対応プロセスを参照されたく、ここでは繰り返して記載しない。これは、当業者にとって自明である。
【０１１４】
本願で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、装置又はユニットを介した間接結合や通信接続であってもよく、電気的、機械的、又は他の形式であってもよい。
【０１１５】
以上個別部品として説明したユニットは、物理的に離間したものであってもよく、そうでなくてもよい。ユニットとして示した部品は、物理ユニットであってもよく、そうでなくてもよい。すなわち、一箇所に位置してもよく、複数のネットワークユニットに位置してもよい。実際の必要に応じてそのうちの一部又はすべてのユニットを選択して本開示の実施例の目的を実現する。
【０１１６】
また、本開示の各実施例における各機能的ユニットは、１つの処理ユニットに一体化されていてもよいし、物理的に別々に設けられていてもよいし、２つ以上が一体化されてもよい。
【０１１７】
前記機能は、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ、ＲＡＭ、磁気ディスク又は光ディスクなど、プログラムコードを格納することができる様々な媒体を含む。
【０１１８】
なお、本開示の装置と方法において、各部品又は各ステップは、分解及び／又は再度の組み合わせが可能である。これらの分解及び／又は再度の組み合わせは、本開示の同等手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。当業者にとって、本開示の方法及び装置のすべて又は任意のステップや部品は、任意の計算装置（プロセッサ、記憶媒体などを含む）や計算装置のネットワークでハードウェア、ファームウェア、ソフトウェア又はそれらの組み合わせによって実現されることが理解できる。これは、当業者が本開示の説明を閲読して基本的なプログラミング技能を活用して実現できることである。
【０１１９】
従って、本開示の目的は、任意の計算装置で１つ又は一連のプログラムを実行することによっても実現される。計算装置は、周知されている汎用装置である。したがって、本開示の目的は、方法又は装置を実現するプログラムコードを含むプログラムプロダクトの提供のみでも実現される。すなわち、このようなプログラムプロダクトも本開示を構成し、しかもこのようなプログラムプロダクトを記憶した記憶媒体も本開示を構成する。明らかに、記憶媒体は、任意の周知される記憶媒体又は将来開発される任意の記憶媒体である。なお、本開示の装置と方法において、各部品又は各ステップは、分解及び／又は再度の組み合わせが可能である。これらの分解及び／又は再度の組み合わせは、本開示の同等手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。
【０１２０】
以上記載されたのは、本開示の好適な実施形態である。当業者は、本開示に記載されている原理を逸脱せずに様々な改良や修飾をすることもできる。これらの改良や修飾も、本開示の保護範囲内にある。
【図１】
2021520166.tif 000003
【図２】
2021520166.tif 000004
【図３】
2021520166.tif 000005
【図４】
2021520166.tif 000006
【図５】
2021520166.tif 000007
【図６】
2021520166.tif 000008
【図７】
2021520166.tif 000009
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
端末側に応用される測定方法であって、
測定対象配置情報を受信するステップと、
条件トリガー方式によるセル管理の場合、前記測定対象配置情報によって指示される対象のうちの少なくとも一部である目標対象の測定を、前記測定対象配置情報に基づいて開始するステップと、
所定トリガーイベントが満たされると、前記目標対象のうちの少なくとも一部の対象の測定を停止するか否かを決定するステップとを含む、測定方法。
【請求項２】
前記測定対象配置情報は、測定不要なセルＩＤ情報、前記目標対象の周波数ポイントＩＤ情報、前記目標対象のセルＩＤ情報、測定対象が条件トリガー方式によるセル管理に用いられるかを指示する第１指示情報、前記目標対象に対応する参照信号配置情報、前記目標対象のレイヤ３フィルタの配置情報、前記目標対象の測定結果タイプ情報、及び、少なくとも１つの前記所定トリガーイベントが満たされてから引き続き測定するかを指示する第２指示情報のうちの少なくとも１つを含む、請求項１に記載の測定方法。
【請求項３】
前記所定トリガーイベントは、予め定義されるか、ネットワーク機器によって配置され、
又は、
前記所定トリガーイベントは、セル切り替え成功、セル切り替え失敗、目標セカンダリセル群ＳＣＧアクセス成功、目標ＳＣＧアクセス失敗、及び、無線リンク失敗のうちの少なくとも１つを含む、請求項１又は２に記載の測定方法。
【請求項４】
所定トリガーイベントが満たされると、前記目標対象のうちの少なくとも一部の対象の測定を停止するか否かを決定するステップは、
所定トリガーイベントが満たされると、すべての前記目標対象の測定の停止を決定することを含む、請求項３に記載の測定方法。
【請求項５】
前記測定対象配置情報に第２指示情報が含まれる場合、所定トリガーイベントが満たされると、前記目標対象のうちの少なくとも一部の対象の測定を停止するか否かを決定するステップは、
所定トリガーイベントが満たされると、前記目標対象のうちの少なくとも一部の対象の測定を停止するか否かを、前記第２指示情報に基づいて決定するステップ、及び、所定トリガーイベントが満たされ、且つ目標対象の配置プロセスが完了した場合、前記目標対象のうちの少なくとも一部の対象の測定を停止するか否かを、前記第２指示情報に基づいて決定するステップのうちの１つを含む、請求項２に記載の測定方法。
【請求項６】
前記目標対象のうちの少なくとも一部の対象の測定を停止するか否かを、前記第２指示情報に基づいて決定するステップは、
前記第２指示情報によって指示される測定継続必要な第１目標対象に基づいて、前記第１目標対象の測定の継続を決定するステップと、前記第２指示情報によって指示される測定継続不要な第２目標対象に基づいて、前記第２目標対象の測定の停止を決定するステップと、前記第２指示情報によって指示される測定継続必要な第１目標対象に基づいて、前記目標対象のうち、前記第１目標対象以外の他の対象の測定の停止を決定するステップのうちの１つを含む、請求項５に記載の測定方法。
【請求項７】
測定対象配置情報を受信するための受信モジュールと、
条件トリガー方式によるセル管理の場合、前記測定対象配置情報によって指示される対象のうちの少なくとも一部である目標対象の測定を、前記測定対象配置情報に基づいて開始するための開始モジュールと、
所定トリガーイベントが満たされると、前記目標対象のうちの少なくとも一部の対象の測定を停止するか否かを決定するための処理モジュールとを含む、端末。
【請求項８】
前記測定対象配置情報は、測定不要なセルＩＤ情報、前記目標対象の周波数ポイントＩＤ情報、前記目標対象のセルＩＤ情報、測定対象が条件トリガー方式によるセル管理に用いられるかを指示する第１指示情報、前記目標対象に対応する参照信号配置情報、前記目標対象のレイヤ３フィルタの配置情報、前記目標対象の測定結果タイプ情報、及び、少なくとも１つの前記所定トリガーイベントが満たされてから引き続き測定するかを指示する第２指示情報のうちの少なくとも１つを含む、請求項７に記載の端末。
【請求項９】
前記所定トリガーイベントは、セル切り替え成功、セル切り替え失敗、目標セカンダリセル群ＳＣＧアクセス成功、目標ＳＣＧアクセス失敗、及び、無線リンク失敗のうちの少なくとも１つを含む、請求項７又は８に記載の端末。
【請求項１０】
前記処理モジュールは、
所定トリガーイベントが満たされると、すべての前記目標対象の測定の停止を決定するための第１決定サブモジュールを含む、請求項９に記載の端末。
【請求項１１】
ネットワーク機器側に応用される測定配置方法であって、
条件トリガー方式によるセル管理に関連付けられる目標対象を指示するための測定対象配置情報を送信するステップを含む、測定配置方法。
【請求項１２】
前記測定対象配置情報は、測定不要なセルＩＤ情報、前記目標対象の周波数ポイントＩＤ情報、前記目標対象のセルＩＤ情報、測定対象が条件トリガー方式によるセル管理に用いられるかを指示する第１指示情報、前記目標対象に対応する参照信号配置情報、前記目標対象のレイヤ３フィルタの配置情報、前記目標対象の測定結果タイプ情報、及び、少なくとも１つの所定トリガーイベントが満たされてから引き続き測定するかを指示する第２指示情報のうちの少なくとも１つを含む、請求項１１に記載の測定配置方法。
【請求項１３】
所定トリガーイベントが満たされると、前記目標対象のうちの少なくとも一部の対象の測定を停止するか否かを決定するように端末に指示するための所定トリガーイベントを端末に配置するステップを更に含む、請求項１２に記載の測定配置方法。
【請求項１４】
条件トリガー方式によるセル管理に関連付けられる目標対象を指示するための測定対象配置情報を送信するための送信モジュールを含む、ネットワーク機器。
【請求項１５】
コンピュータプログラムが格納されているコンピュータ読み取り可能な記憶媒体であって、
前記コンピュータプログラムがプロセッサによって実行されると、請求項１〜６のいずれか一項に記載の測定方法のステップが実現され、又は、請求項１１〜１３のいずれか一項に記載の測定配置方法のステップが実現される、コンピュータ読み取り可能な記憶媒体。
【手続補正２】
【補正対象書類名】明細書
【補正対象項目名】０００８
【補正方法】変更
【補正の内容】
【０００８】
第３方面において、本開示の実施例は、プロセッサと、メモリと、メモリに格納されてプロセッサで動作可能なコンピュータプログラムを含む端末を提供し、コンピュータプログラムがプロセッサによって実行されると、前記に記載の測定方法のステップが実現される。
【手続補正３】
【補正対象書類名】明細書
【補正対象項目名】００１６
【補正方法】変更
【補正の内容】
【００１６】
【図１】条件トリガーによるセル切り替えのフローチャートである。
【図２】本開示の実施例に係る測定方法のフローチャートである。
【図３】本開示の実施例に係る端末のモジュール構造図である。
【図４】本開示の実施例に係る端末のブロック図である。
【図５】本開示の実施例に係る測定配置方法のフローチャートである。
【図６】本開示の実施例に係るネットワーク機器のモジュール構造図である。
【図７】本開示の実施例に係るネットワーク機器のブロック図である。
【手続補正４】
【補正対象書類名】明細書
【補正対象項目名】００３６
【補正方法】変更
【補正の内容】
【００３６】
ここで、方式３と方式４において、目標対象のうちの少なくとも一部の対象の測定を停止するか否かを第２指示情報に基づいて決定することは、以下の１つを含む。
第２指示情報によって指示される測定継続必要な第１目標対象に基づいて、第１目標対象の測定の継続を決定する。例えば、切り替え成功後に、あるセルの測定の継続が第２指示情報によって指示されると、それらのセルの測定を継続する。又は、あるＳＣＧアクセス成功後に、あるセルの測定の継続が第２指示情報によって指示されると、それらのセルの測定を継続する。加えて、端末は、第１目標対象の測定を継続する場合、更に、第１目標対象以外の、測定対象配置情報によって指示される、条件トリガー方式によるセル管理に関連付けられるすべての目標対象の測定を停止する。
第２指示情報によって指示される測定継続不要な第２目標対象に基づいて、第２目標対象の測定の停止を決定する。例えば、切り替え成功後に、あるセルの測定の停止（すなわち継続しない）が第２指示情報によって指示されると、それらのセルの測定を停止する。又は、あるＳＣＧアクセス成功後に、あるセルの測定の停止が第２指示情報によって指示されると、それらのセルの測定を停止する。
第２指示情報によって指示される測定継続必要な第１目標対象に基づいて、目標対象のうち、第１目標対象以外の他の対象の測定の停止を決定する。例えば、切り替え成功後に、第２指示情報（例えばある目標対象の測定を継続する）によって指示される第１目標対象以外の、測定対象配置情報によって指示される、条件トリガー方式によるセル管理に関連付けられるすべての目標対象の測定を停止する。又は、あるＳＣＧアクセス成功後に、第２指示情報（例えばある目標対象の測定を継続する）によって指示される第１目標対象以外の、測定対象配置情報によって指示される、条件トリガー方式によるセル管理に関連付けられるすべての目標対象の測定を停止する。
【手続補正５】
【補正対象書類名】明細書
【補正対象項目名】００７７
【補正方法】変更
【補正の内容】
【００７７】
具体的には、所定トリガーイベント情報は、以下の１つを指示することに用いられる。
端末は、第２指示情報によって指示される測定継続必要な第１目標対象に基づいて、第１目標対象の測定の継続を決定する。このように、端末は、第２指示情報によって指示される測定継続必要な第１目標対象に基づいて、第１目標対象の測定の継続を決定する。例えば、切り替え成功後に、あるセルの測定の継続が第２指示情報によって指示されると、それらのセルの測定を継続する。又は、あるＳＣＧアクセス成功後に、あるセルの測定の継続が第２指示情報によって指示されると、それらのセルの測定を継続する。加えて、端末は、第１目標対象の測定を継続する場合、更に、第１目標対象以外の、測定対象配置情報によって指示される、条件トリガー方式によるセル管理に関連付けられるすべての目標対象の測定を停止する。
端末は、第２指示情報によって指示される測定継続不要な第２目標対象に基づいて、第２目標対象の測定の停止を決定する。このように、端末は、第２指示情報によって指示される測定継続不要な第２目標対象に基づいて、第２目標対象の測定の停止を決定する。例えば、切り替え成功後に、あるセルの測定の停止（すなわち継続しない）が第２指示情報によって指示されると、それらのセルの測定を停止する。又は、あるＳＣＧアクセス成功後に、あるセルの測定の停止が第２指示情報によって指示されると、それらのセルの測定を停止する。
端末は、第２指示情報によって指示される測定継続必要な第１目標対象に基づいて、目標対象のうち前記第１目標対象以外の他の対象の測定の停止を決定する。このように、端末は、第２指示情報によって指示される測定継続必要な第１目標対象に基づいて、目標対象のうち前記第１目標対象以外の他の対象の測定の停止を決定する。例えば、切り替え成功後に、第２指示情報（例えばある目標対象の測定を継続する）によって指示される第１目標対象以外の、測定対象配置情報によって指示される、条件トリガー方式によるセル管理に関連付けられるすべての目標対象の測定を停止する。又は、あるＳＣＧアクセス成功後に、第２指示情報（例えばある目標対象の測定を継続する）によって指示される第１目標対象以外の、測定対象配置情報によって指示される、条件トリガー方式によるセル管理に関連付けられるすべての目標対象の測定を停止する。
【手続補正６】
【補正対象書類名】明細書
【補正対象項目名】００８１
【補正方法】変更
【補正の内容】
【００８１】
図６に示すように、本開示の実施例のネットワーク機器６００は、上記実施例における測定配置方法を実現可能であり、同じ効果を奏することもできる。該ネットワーク機器６００は、具体的には、条件トリガー方式によるセル管理に関連付けられる目標対象を指示するための測定対象配置情報を送信するための送信モジュール６１０を含む。
【国際調査報告】
2021520166.tif 000010
2021520166.tif 000011
2021520166.tif 000012
2021520166.tif 000013